(57)【要約】【課題】  短時間で安価にマイクロチャンネル構造体を製造可能とする。【解決手段】  流体が流れる微細流路を有するマイクロチャンネル構造体であって、上記微細流路２は、板厚方向に貫通孔が形成された積層板１を、少なくとも上記貫通孔の一部同士が重なるように複数積層することによって構成されている。【選択図】              図１
2006224253.tif 000002
【特許請求の範囲】
【請求項１】
流体が流れる微細流路を有するマイクロチャンネル構造体であって、
前記微細流路は、板厚方向に貫通孔が形成された積層板を、少なくとも前記貫通孔の一部同士が重なるように複数積層することによって構成されていることを特徴とするマイクロチャンネル構造体。
【請求項２】
前記微細流路を複数有し、前記微細流路同士が接続されていることを特徴とする請求項１記載のマイクロチャンネル構造体。
【請求項３】
前記微細流路内に、前記流体を攪拌する攪拌部を備えることを特徴とする請求項１または２記載のマイクロチャンネル構造体。
【請求項４】
前記攪拌部は、前記積層板の一部によって構成されていることを特徴とする請求項３記載のマイクロチャンネル構造体。
【請求項５】
電流を供給されることによって発光及び発熱する固体発光光源と、当該固体発光光源が載置される基台とを有する光源装置であって、
前記基台として、請求項１〜４いずれかに記載のマイクロチャンネル構造体を用いることを特徴とする光源装置。
【請求項６】
請求項５記載の光源装置を備えることを特徴とするプロジェクタ。
【請求項７】
流体が流れる微細流路を有するマイクロチャンネル構造体の製造方法であって、
板厚方向に貫通孔が形成された積層板を、少なくとも前記貫通孔の一部同士が重なるように複数積層することによって前記微細流路を形成する微細流路形成工程を有することを特徴とするマイクロチャンネル構造体の製造方法。
【請求項８】
前記貫通孔の形成パターンが同一の前記積層板をずらして積層することを特徴とする請求項７記載のマイクロチャンネル構造体の製造方法。
【請求項９】
前記貫通孔の形成パターンが異なる前記積層板を積層することを特徴とする請求項７記載のマイクロチャンネル構造体の製造方法。
【発明の詳細な説明】
【技術分野】
【０００１】
本発明は、マイクロチャンネル構造体及びその製造方法、光源装置、並びにプロジェクタに関するものである。
【背景技術】
【０００２】
マイクロチャンネル構造体は、数μｍ〜数百μｍ幅の微細流路を備える構造体であり、種々の用途に用いられている。例えば、微細流路に冷却媒体（流体）を流すことによって高い冷却性能を有する熱交換部品として用いられたり、小流量の流体の搬送経路として用いられたりしている。
【０００３】
例えば、数ｍｍ〜数ｃｍ幅の流路を複数備える構造体である熱交換器であれば、特許文献１に示すように、プレス加工によって形成された波状板部材を外周壁部材の収納部に収納配置することによって、安価に大量生産することができる。
ところが、プレス加工では、微細加工が困難であり、さらにはアスペクト比（流路幅と流路高さの比）の高い流路を形成することが困難であるため、上述のような数μｍ〜数百μｍ幅の流路を複数形成する場合には、一般的には、シリコンのエッチングを行うことによって流路が形成されている。
【特許文献１】実開昭６１−８４３８９号公報
【発明の開示】
【発明が解決しようとする課題】
【０００４】
しかしながら、シリコンを用いて流路を形成した場合には、銅等の金属を用いて流路を形成した場合と比較して熱伝導性の面で不利となるため、マイクロチャンネル構造体を高い冷却性能を有する熱交換部品として用いることが困難となる。
一方、銅等の金属を用いて数μｍ〜数百μｍ幅の流路を形成する場合には、ワイヤ放電加工等の加工法を用いることによって形成することができる。しかしながら、ワイヤ放電加工で流路を形成する場合には多くの加工時間を必要とするため、マイクロチャンネル構造体を安価に大量生産するための加工法としては好ましくない。
【０００５】
本発明は、上述する問題点に鑑みてなされたもので、短時間で安価にマイクロチャンネル構造体を製造可能とすることを目的とする。
【課題を解決するための手段】
【０００６】
上記目的を達成するために、本発明のマイクロチャンネル構造体は、流体が流れる微細流路を有するマイクロチャンネル構造体であって、上記微細流路は、板厚方向に貫通孔が形成された積層板を、少なくとも上記貫通孔の一部同士が重なるように複数積層することによって構成されていることを特徴とする。
【０００７】
このような特徴を有する本発明のマイクロチャンネル構造体によれば、微細流路が、板厚方向に貫通孔が形成された積層板が、少なくとも上記貫通孔の一部同士が重なるように複数積層されることによって構成されている。このため、積層板の積層枚数を変化させることによって、微細流路の形状（例えばアスペクト比）を容易に変化させることができる。すなわち、十分な枚数の積層板を積層することによって、マイクロチャンネル構造体が有する微細流路として、十分なアスペクト比を有する微細流路を容易に形成することが可能となる。
【０００８】
また、本発明のマイクロチャンネル構造体を熱交換器として用いる場合には、微細流路内に冷却用の流体を流すこととなるが、このような場合には、相対的に熱源に近い流体の温度が高く、相対的に熱源から遠い流体の温度は低い状態となる。
このため、本発明のマイクロチャンネル構造体においては、上記微細流路を複数有し、上記微細流路同士が接続されているという構成を採用することができる。
このような構成を採用することによって、例えば、熱源近傍において温められた流体と比較的に熱源から遠く低い温度の流体とを混合することができ、より効率的に熱源を冷却することが可能となる。
また、本発明のマイクロチャンネル構造体においては、上記微細流路内に、上記流体を攪拌する攪拌部を備えるという構成を採用することもできる。このような構成を採用することによって、微細流路内において相対的に高い温度の流体と相対的に低い温度の流体とを攪拌部によって攪拌混合することができ、より効率的に熱源を冷却することが可能となる。
また、上述のように、微細流路内に攪拌部を備える場合には、本発明のマイクロチャンネル構造体においては、上記攪拌部が、上記積層板の一部によって構成されているという構成を採用することが好ましい。
このような構成を採用することによって、積層板を積層することによって流路形成されると同時に、攪拌部を形成することが可能となる。
【０００９】
次に、本発明の光源装置は、電流を供給されることによって発光及び発熱する固体発光光源と当該固体発光光源が載置される基台とを有する光源装置であって、上記基台として、本発明のマイクロチャンネル構造体を用いることを特徴とする。
本発明のマイクロチャンネル構造体によれば、十分なアスペクト比を有する微細流路を容易に形成することが可能となる。したがって、本発明の光源装置は、冷却性能が高くかつ容易に製造可能な基台（マイクロチャンネル構造体）を備えるため、高性能でかつ安価なものとなる。
【００１０】
次に、本発明のプロジェクタは、本発明の光源装置を備えることを特徴とする。
したがって、本発明のプロジェクタは、高性能でかつ安価なものとなる。
【００１１】
次に、本発明のマイクロチャンネル構造体の製造方法は、流体が流れる微細流路を有するマイクロチャンネル構造体の製造方法であって、板厚方向に貫通孔が形成された積層板を、少なくとも上記貫通孔の一部同士が重なるように複数積層することによって上記微細流路を形成する微細流路形成工程を有することを特徴とする。
【００１２】
このような特徴を有する本発明のマイクロチャンネル構造体の製造方法によれば、微細流路形成工程において、板厚方向に貫通孔が形成された積層板が、少なくとも上記貫通孔の一部同士が重なるように複数積層されることによって微細流路が形成される。このため、微細流路の高さに対して薄い積層板に貫通孔を形成し、この積層板を積層することによって容易にアスペクト比の高い微細流路を形成することが可能となる。また、積層板に貫通孔を形成する工程は、プレス工程やエッチング等の安価な工程によって行うことができるため、ワイヤ放電加工等を用いる従来のマイクロチャンネル構造体の製造方法と比較して、安価にかつ大量にマイクロチャンネル構造体を製造することが可能となる。
【００１３】
また、本発明のマイクロチャンネル構造体の製造方法においては、上記貫通孔の形成パターンが同一の上記積層板をずらして積層するという構成を採用することができる。
このような構成を採用することによって、貫通孔の形成パターンが同一の積層板を大量に製造し、この積層板をずらして積層することによって微細流路を形成することができるため、より安価にマイクロチャンネル構造体を製造することが可能となる。
【００１４】
また、本発明のマイクロチャンネル構造体の製造方法においては、上記貫通孔の形成パターンが異なる上記積層板を積層するという構成を採用することもできる。
このような構成を採用することによって、より複雑な形状の流路を容易に形成することが可能となる。
【発明を実施するための最良の形態】
【００１５】
以下、図面を参照して、本発明に係るマイクロチャンネル構造体及びその製造方法、光源装置、並びにプロジェクタの一実施形態について説明する。
なお、以下の図面において、各部材を認識可能な大きさとするために、各部材の縮尺を適宜変更している。
【００１６】
図１は、本実施形態のマイクロチャンネル構造体Ｍ１の構成を示す斜視図である。
この図に示すように、本実施形態のマイクロチャンネル構造体Ｍ１は、複数（本実施形態においては１０枚）の積層板１が積層されることによって構成される流路部２と、流路部２に流体を流入させるための流入部３と、流路部３から流体を流出させるための流出部４とを備えて構成されている。なお、実際のマイクロチャンネル構造体Ｍ１には、図１に示す流路部２上に天板が配置されているが、説明の便宜上、図１においては、天板を省略している。
【００１７】
図２は、積層板１の平面図である。この図に示すように、積層板１には、複数の貫通孔１１が板厚方向に形成されている。そして、本実施形態のマイクロチャンネル構造体Ｍ１においては、図２に示す積層板１が紙面垂直方向を回転軸として１８０°ずつ回転されて複数積層されることによって流路部２が構成されている。なお、本実施形態のマイクロチャンネル構造体Ｍ１においては、積層板１が紙面垂直方向を回転軸として１８０°回転されて先に配置された積層板１上に配置される場合に、先に配置された積層板１の貫通孔１１の一部と後に配置される積層板１の貫通孔１１の一部とが少なくとも一部重なるように、積層板１に貫通孔１１が形成されている。
【００１８】
すなわち、本実施形態のマイクロチャンネル構造体Ｍ１においては、貫通孔１１の形成パターンが同一の積層板１を、１８０°回転して（ずらして）、少なくとも貫通孔の一部同士が重なるように、複数積層することによって流路部２が形成されている。
【００１９】
図３は、図１のＡ−Ａ線断面図である。本実施形態における流路部２は、複数の貫通孔１１が形成された積層板１が積層されることによって構成されているため、図３に示すように、流路部２内には、積層板１の一部１２が複数配置されることとなる。このように、流路部２内に積層板１の一部１２が複数配置されることによって、流路部２内を流れる流体が攪拌される。このため、例えば、本実施形態のマイクロチャンネル構造体Ｍ１を熱交換部品として用いる場合には、相対的に熱源に近いことによって高温とされる流体と、相対的に熱源から遠いことによって低温とされる流体とが、積層板１の一部１２によって攪拌されるため、これらの流体が混合される。したがって、効率的に熱源を冷却することが可能となる。
このように、本実施形態のマイクロチャンネル構造体Ｍ１においては、積層板１の一部１２が、流体を攪拌するための攪拌部としての機能を有している。
【００２０】
このような構成を有する本実施形態のマイクロチャンネル構造体Ｍ１の流入部３から流体がマイクロチャンネル構造体Ｍ１に供給されると、流体は、流路部２を通過した後、流出部４から流出される。具体的には、積層板１同士の隙間を流体が流れることによって流体が流路部２を通過する。
そして、例えば、マイクロチャンネル構造体Ｍ１を熱交換部品として用いる場合には、この過程において、熱源から流体及びマイクロチャンネル構造体Ｍ１自体に熱量が移動し、その結果、熱源が冷却される。
【００２１】
次に、本実施形態のマイクロチャンネル構造体Ｍ１の製造方法について説明する。
【００２２】
まず、図２において示した積層板１を複数枚用意する。すなわち、本実施形態のマイクロチャンネル構造体Ｍ１の製造方法においては、貫通孔１１の形成パターンが同一の積層板１を用いる。
【００２３】
そして、積層板１を図１の紙面垂直方向に１８０°ずつ回転させて積層することによって流路部２を形成する（微細流路形成工程）。この際、本実施形態のマイクロチャンネル構造体Ｍ１においては、上述のように、先に配置された積層板１の貫通孔１１の一部と後に配置される積層板１の貫通孔１１の一部とが少なくとも一部重なるように、積層板１に貫通孔１１が形成されている。このため、微細流路形成工程において、積層板１を積層することによって、積層される積層板１に形成された貫通孔１１同士の一部が少なくとも重なり、これによって流体が流れる隙間が確保されている。
なお、積層した積層板１同士は、拡散接合によって接合されることが好ましい。このように拡散接合によって積層板１同士を接合することによって、積層板１，１間における熱抵抗が低下する。このため、本実施形態のマイクロチャンネル構造体Ｍ１を熱交換器として用いる場合には、優れた冷却能力を発揮することとなる。
【００２４】
次に、流路部２に対して流入部３及び流出部４を接合する。なお、本工程では、流入部３及び流出部４の他に流路部２の上面及び下面に天板及び底板も接合する。そして、これらの部材の接合も拡散接合によって行うことが好ましい。これによって、各部材間の熱抵抗が低下し、優れた冷却能力を発揮するマイクロチャンネル構造体とされる。
【００２５】
このような本実施形態のマイクロチャンネル構造体の製造方法によれば、複数の積層板１が積層されることによって流路部２が形成されるため、ワイヤ放電加工等によって流路部２を形成する場合と比較して、短時間で安価にマイクロチャンネル構造体が製造可能となる。また、積層板１の積層枚数を変化させることによって容易に流路のアスペクト比を変化させることができる。したがって、アスペクト比の高い流路を有するマイクロチャンネル構造体を容易に製造することが可能となる。
【００２６】
また、本実施形態のマイクロチャンネル構造体の製造方法によれば、全ての積層板１における貫通孔１１の形成パターンが同一であるため、積層板１の製造コストを低減させることができる。したがって、本実施形態のマイクロチャンネル構造体の製造方法によれば、マイクロチャンネル構造体の製造にかかるコストを低減させることが可能となる。
【００２７】
なお、本実施形態のマイクロチャンネル構造体及びその製造方法においては、全ての部材が銅によって形成されていることが好ましい。このように全ての部材を銅によって形成することによって、マイクロチャンネル構造体Ｍ１の伝熱効率を向上させることができる。また、銅は、その性質上、加工性が高いため、より容易にマイクロチャンネル構造体を製造することが可能となる。
【００２８】
（第２実施形態）
【００２９】
次に、本発明の第２実施形態について説明する。なお、本第２実施形態の説明において、上記第１実施形態と同様の部分については、その説明を省略あるいは簡略化する。
【００３０】
図４は、本第３実施形態のマイクロチャンネル構造体が備える流路部５の平面図である。この図に示すように、本実施形態のマイクロチャンネル構造体が備える流路部５は、先に配置された積層板６と後に配置される積層板６とが紙面斜め方向にずらされている。そして、本実施形態のマイクロチャンネル構造体においても、積層される積層板６に形成された貫通孔６１同士の一部が少なくとも重なり、これによって流体が流れる隙間が確保されている。
【００３１】
図５は、図４におけるＢ−Ｂ線断面図である。この図に示すように、本実施形態のマイクロチャンネル構造体においても、複数の貫通孔６１が形成された積層板６が積層されることによって構成されているため、図５に示すように、流路部５内には、積層板６の一部６２が複数配置されることとなる。このように、流路部５内に積層板６の一部６２が複数配置されることによって、流路部５内を流れる流体が攪拌される。このため、例えば、本実施形態のマイクロチャンネル構造体を熱交換部品として用いる場合には、相対的に熱源に近いことによって高温とされる流体と、相対的に熱源から遠いことによって低温とされる流体とが、積層板１の一部６２によって攪拌されるため、これらの流体が混合される。したがって、効率的に熱源を冷却することが可能となる。
【００３２】
なお、このような構成を有する本実施形態のマイクロチャンネル構造体を製造する場合には、微細流路形成工程において、積層板６を図４の紙面斜め方向にずらして積層することによって流路部５が形成される。
【００３３】
このような本実施形態のマイクロチャンネル構造体においても、上記第１実施形態と同様に、複数の積層板６が積層されることによって流路部５が形成されるため、ワイヤ放電加工等によって流路部５を形成する場合と比較して、短時間で安価にマイクロチャンネル構造体が製造可能となる。
【００３４】
（第３実施形態）
次に、本発明の第３実施形態について説明する。なお、本第３実施形態の説明においても、上記第１実施形態と同様の部分については、その説明を省略あるいは簡略化する。
【００３５】
図６は、本第３実施形態のマイクロチャンネル構造体Ｍ２の斜視図である。この図に示すように、本実施形態のマイクロチャンネル構造体Ｍ２は、内部に２つ（複数）の流路２０（２１，２２）が形成された流路部１０を備えている。また、流入部３０及び流出部４０が流路部１０を囲む筐体６０と一体形成されている。
【００３６】
流路２１，２２は、流路部１０内において上下方向に蛇行している。このように流路２１，２２を上下方向に蛇行させることによって、流路２１，２２内を流れる流体も上下方向に蛇行して流れる。例えば、マイクロチャンネル構造体Ｍ２を熱交換部品として用いる場合には、流路部１０の熱源から遠い部位が熱源近傍と比較して温度が低くなる。このため、流体が上下方向に蛇行して流れることによって、流路部１０全体（上下方向）に熱を分散させることができる。
【００３７】
このような本実施形態マイクロチャンネル構造体Ｍ２を製造する場合にも、複数の積層板を積層することによって流路部１０を形成する。具体的には、流路２１，２２の形状に応じた貫通孔が形成された積層板を形成し、これらの積層板を積層することによって、流路部１０を形成する。すなわち、貫通孔の形成パターンが異なる積層板を積層することによって流路部１０を形成する。
このように流路部１０を形成することによって、容易に複雑な流路を有する流路部を形成することが可能となる。逆に言えば、どのような形状の流路を有する流路部であっても、本実施形態のマイクロチャンネル構造体の製造方法のように、流路部を複数の積層板を積層することによって形成することで、容易に製造可能となる。
例えば、図７の模式図に示すように、上下左右方向に複数回蛇行する流路５１，５２を備える流路部５０を形成する場合であっても、流路５１，５２に応じた貫通孔を有する積層板を形成し、この積層板を積層させることによって容易に形成することが可能となる。
【００３８】
（第４実施形態）
次に、本発明の第４実施形態として、上記実施形態のマイクロチャンネル構造体を有する光源装置について説明する。なお、本実施形態の説明においては、上記第１実施形態のマイクロチャンネル構造体Ｍ１を備える光源装置について説明するが、上記第１実施形態のマイクロチャンネル構造体Ｍ１に限らず、上記第２あるいは第３実施形態のマイクロチャンネル構造体を備えることも可能である。
【００３９】
図８は、本第４実施形態の光源装置１００の概略構成を示した平面図である。また、図９は図８におけるＣ−Ｃ断面図である。
これらの図に示すように、本実施形態の光源装置１００は、基台１１０と、ＬＥＤチップ１２０（固体発光光源）と、樹脂フレーム１３０と、キャップ１４０とを備えて構成されている。
【００４０】
基台１１０は、ＬＥＤチップ１２０（固体発光光源）が載置されるものであり、上記実施形態のマイクロチャンネル構造体によって構成されている。
ＬＥＤチップ１２０は、電流を供給されることによって発光及び発熱するものであり、シリコン等によって形成されかつＬＥＤチップ１２０に電力を供給するための配線が形成されたサブマウント上にフリップチップ実装され、このサブマウントごと熱伝導性の接着剤（例えば、銀ペースト）によって基台１１０上に実装されている。
【００４１】
また、第１基台１１０の上面には、リフレクタ１１４が配置されており、さらに当該リフレクタ１１４を囲うように樹脂フレーム１３０が配置されている。そして、樹脂フレーム１３０の上部に支持されてキャップ１４０が配置されており、キャップ１４０と樹脂フレーム１３０によって形成された空間内には、シリコンオイル等が充填されている。図８及び図９に示すように、樹脂フレーム１３０には、アウターリード１３１，１３２がインサードモールドされており、このアウターリード１３１，１３２の一端が基台１１０上に配置されたフレキシブル基板１１７，１１８と接続され、他端が金ワイヤ１２２等によってサブマウント１２１上に形成された接続パッドと接続されている。そして、サブマウント１２１、フレキシブル基板１１７，１１８、アウターリード１３１，１３２及び金ワイヤ１２２を介してＬＥＤチップ１２０に電力が供給される。なお、本実施形態においては、図８に示すように、各アウターリード１３１，１３２に３本ずつの金ワイヤ１２２が接続されているが、ＬＥＤチップ１２０に供給される電力量に応じて金ワイヤ１２２の本数は変更される。
【００４２】
このように構成された本実施形態の光源装置１００において、ＬＥＤチップ１２０に電流が供給されると、ＬＥＤチップ１２０から光が射出され、この射出された光がキャップ１４０を介して光源装置１００から射出される。そして、ＬＥＤチップ１２０から側方に射出された光は、リフレクタ１１４によってキャップ１４０方向に反射され、その後キャップ１４０を介して光源装置１００から射出される。
【００４３】
そして、本実施形態の光源装置１００においては、基台１１０として上記実施形態のマイクロチャンネル構造体Ｍ１が用いられているため、微細流路に冷却媒体（流体）を流すことによってＬＥＤチップ１２０を効率的に冷却することが可能となり、ＬＥＤチップ１２０の熱による破損を防止することが可能となる。したがって、信頼性に優れた光源装置１００となる。
また、上記実施形態のマイクロチャンネル構造体Ｍ１は、上述のように安価に大量生産することが可能なため、マイクロチャンネル構造体Ｍ１を基台１１０として備える光源装置１００も、安価に製造することが可能となる。
【００４４】
（第５実施形態）
次に、本発明の第５実施形態として、上記第４実施形態の光源装置１００を備えるプロジェクタについて説明する。
【００４５】
図１０は、上記実施形態の光源装置を備えたプロジェクタ５００の説明図である。図中、符号５１２、５１３、５１４は上記実施形態の光源装置、５２２、５２３、５２４は液晶ライトバルブ、５２５はクロスダイクロイックプリズム、５２６は投写レンズを示している。
【００４６】
図１０のプロジェクタ５００は、上記第４実施形態のように構成した３個の光源装置５１２、５１３、５１４を備えている。各光源装置５１２、５１３、５１４には、それぞれ赤（Ｒ）、緑（Ｇ）、青（Ｂ）に発光するＬＥＤチップが採用されている。なお、光源光の照度分布を均一化させるための均一照明系として、各光源装置の後方にロッドレンズやフライアイレンズを配置してもよい。
【００４７】
赤色光源装置５１２からの光束は、重畳レンズ５３５Ｒを透過して反射ミラー５１７で反射され、赤色光用液晶ライトバルブ５２２に入射する。また、緑色光源装置５１３からの光束は、重畳レンズ５３５Ｇを透過して緑色光用液晶ライトバルブ５２３に入射する。また、青色光源装置５１４からの光束は、重畳レンズ５３５Ｂを透過して反射ミラー５１６で反射され、青色光用液晶ライトバルブ５２４に入射する。なお、均一照明系としてフライアイレンズを用いた場合には、各光源からの光束は重畳レンズを介することにより液晶ライトバルブの表示領域において重畳され、液晶ライトバルブが均一に照明されるようになっている。
【００４８】
また、各液晶ライトバルブの入射側および出射側には、偏光板（図示せず）が配置されている。そして、各光源からの光束のうち所定方向の直線偏光のみが入射側偏光板を透過して、各液晶ライトバルブに入射する。また、入射側偏光板の前方に偏光変換手段（図示せず）を設けてもよい。この場合、入射側偏光板で反射された光束をリサイクルして各液晶ライトバルブに入射させることが可能になり、光の利用効率を向上させることができる。
【００４９】
各液晶ライトバルブ５２２、５２３、５２４によって変調された３つの色光は、クロスダイクロイックプリズム５２５に入射する。このプリズムは４つの直角プリズムを貼り合わせて形成され、その内面に赤色光を反射する誘電体多層膜と青色光を反射する誘電体多層膜とが十字状に配置されている。これらの誘電体多層膜によって３つの色光が合成され、カラー画像を表す光が形成される。そして、合成された光は投写光学系である投写レンズ５２６により投写スクリーン５２７上に投写され、拡大された画像が表示される。
【００５０】
上述した本実施形態の光源装置は、ＬＥＤチップが冷却されることによって高輝度化されるとともに安価に製造することができるものである。したがって、上述した光源装置を備えることにより、表示特性の優れたプロジェクタを安価に提供することができる。
【００５１】
以上、添付図面を参照しながら本発明に係るマイクロチャンネル構造体及びその製造方法、光源装置、並びにプロジェクタの好適な実施形態について説明したが、本発明は上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００５２】
例えば、上記第３実施形態においては、流路部１０の流路２１と流路２２とを独立した流路２０として形成した。しかしながら、本発明は、これに限定されるものではなく、流路２１と流路２２とを途中部位において接続しても良い。このように流路２１と流路２２とを接続することによって、流路２１と流路２２とを流れる流体が混合され、より伝熱効率を向上させることが可能となる。
【００５３】
また、上記第５実施形態において、固体発光光源としてＬＥＤチップを採用したが、固体発光光源として半導体レーザ等を採用することも可能である。さらに、上述したプロジェクタでは光変調手段として液晶ライトバルブを採用したが、光変調手段として微小ミラーアレイデバイス等を採用することも可能である。
【図面の簡単な説明】
【００５４】
【図１】本発明の第１実施形態であるマイクロチャンネル構造体の斜視図である。
【図２】積層板の平面図である。
【図３】図１のＡ−Ａ線断面図である。
【図４】本発明の第２実施形態であるマイクロチャンネル構造体が備える流路部の平面図である。
【図５】図４のＢ−Ｂ線断面図である。
【図６】本発明の第３実施形態であるマイクロチャンネル構造体の斜視図である。
【図７】本発明の第３実施形態であるマイクロチャンネル構造体の変形例である。
【図８】本発明の第４実施形態である光源装置の概略構成を示す図である。
【図９】図８のＣ−Ｃ線断面図である。
【図１０】本発明の第５実施形態であるプロジェクタの概略構成を示す図である。
【符号の説明】
【００５５】
Ｍ１，Ｍ２……マイクロチャンネル構造体、１，６……積層板、１１，６１……貫通孔、１２，６２……積層板の一部（攪拌部）、２，５，１０，５０……流路部（微細流路）、２０，２１，２２，５１，５２……流路、１００……光源装置、５００……プロジェクタ
【図１】
2006224253.tif 000003
【図２】
2006224253.tif 000004
【図３】
2006224253.tif 000005
【図４】
2006224253.tif 000006
【図５】
2006224253.tif 000007
【図６】
2006224253.tif 000008
【図７】
2006224253.tif 000009
【図８】
2006224253.tif 000010
【図９】
2006224253.tif 000011
【図１０】
2006224253.tif 000012